(57)【特許請求の範囲】
【請求項１】
車体と、この車体に起伏等が自在に設けられたメインブームと、このメインブームの先端部に取り付けられた作業者搭乗用の作業台とを備えた高所作業車に配設され、ＣＦ遮断器及び腕金を電柱上部へ取り付け、取り外しするために前記ＣＦ遮断器及び腕金を支持するアプローチアーム装置であって、
前記メインブームの先端部に取り付けられたサブブームと、
前記サブブームに沿った任意の位置において前記サブブームに取り付け可能に構成された固定支持部材と、
前記固定支持部材に水平旋回自在に取り付けられた旋回アーム部材と、
前記旋回アーム部材に上下揺動自在に取り付けられた起伏アーム部材と、
前記起伏アーム部材の先端に取り付けられて前記ＣＦ遮断器及び腕金を横方向に延びた状態で支持するアームホルダー部材とからなり、
前記起伏アーム部材が、前記ＣＦ遮断器及び腕金およびこれを支持する前記アームホルダー部材の重量とほぼバランスする起伏保持力を与えるバランス装置を有し、
前記アームホルダー部材が、前記起伏アーム部材の先端に横方向に延びて固設されたスライドアームと、前記スライドアーム上を横方向にスライド移動可能に取り付けられたスライド部材と、前記スライド部材に上方に延びて取り付けられた電気絶縁材料製の絶縁支持部材と、前記絶縁支持部材の上端に取り付けられて前記ＣＦ遮断器及び腕金を保持するアーム保持部材とから構成されることを特徴とするアプローチアーム装置。
【発明の詳細な説明】
【０００１】
【発明の属する技術分野】
本発明は、高所作業車を用いて電柱に対する配線工事等を行うときに、電柱に取り付けられるアーム部材（例えば、電線支持用の腕木もしくは腕金や、ＰＣアーム、ＣＦアーム等と称されるような電柱に水平に延びて取り付けられる部材であり、これらを総称してＣＦ遮断器及び腕金等と称する）を支持するために用いられるアプローチアーム装置に関する。
【０００２】
【従来の技術】
従来、電柱に対する配線工事等において、車体上に起伏・伸縮作動等が自在なブームを設けるとともに、このブームの先端部に作業者搭乗用の作業台が設けられた高所作業車を用いることが知られている。このような配線工事等に際して、ＣＦ遮断器及び腕金等を電柱の上部に横方向に延びて取り付けたり、これを取り外したりすることがある。
【０００３】
【発明が解決しようとする課題】
このようなＣＦ遮断器及び腕金等を電柱に取り付けたり、取り外したりする作業を、高所作業車に搭乗した作業者により行うことがあるが、ＣＦ遮断器及び腕金等にはＣＦ遮断器、支持ピン、ＣＦ負荷側リード線と称される部材や、碍子等、種々の部品が取り付けられており、大きな重量を有しているため、作業者の負担が大きすぎるという問題がある。このため、ＣＦ遮断器及び腕金等をクレーン等により吊り上げて取付作業を行うことが考えられるが、電柱に電線が配線された状態のままでこれら電線より下側にＣＦ遮断器及び腕金等を取り付けるような作業は非常に難しいという問題がある。
【０００４】
本発明はこのような問題に鑑みたもので、ＣＦ遮断器及び腕金等を電柱に取り付けたり、電柱から取り外したりする作業を容易に行えるような構成のアプローチアーム装置を提供することを目的とする。
【０００５】
【課題を解決するための手段】
このような目的達成のため、本発明に係るアプローチアーム装置は、車体に起伏等が自在に設けられたメインブームの先端部に作業者搭乗用の作業台を取り付けてなる高所作業車に配設され、ＣＦ遮断器及び腕金等を電柱上部へ取り付け、取り外しするためにこのＣＦ遮断器及び腕金等を支持するように構成される。そして、このアプローチアーム装置は、メインブームの先端部に取り付けられたサブブームと、サブブームに沿った任意の位置においてサブブームに取り付け可能に構成された固定支持部材と、この固定支持部材に水平旋回自在に取り付けられた旋回アーム部材と、旋回アーム部材に上下揺動自在に取り付けられた起伏アーム部材と、起伏アーム部材の先端に取り付けられてＣＦ遮断器及び腕金等を横方向に延びた状態で支持するアームホルダー部材とから構成される。
【０００６】
このような構成のアプローチアーム装置を用いれば、アームホルダー部材によりＣＦ遮断器及び腕金等を支持した状態で、メインブームの起伏作動等を行わせて作業台を所望高所（このＣＦ遮断器及び腕金等を取り付けようとする電柱上部の近傍）に移動させると、メインブームの先端に取り付けられたアプローチアーム装置も一緒に所望高所に移動する。この状態で、作業台に搭乗した作業者がアームホルダー部材により保持したＣＦ遮断器及び腕金等を電柱の上部に取り付ける作業を行うのであるが、メインブームの作動により作業台の位置調整を行うとともに、旋回アーム部材を水平旋回させたり、起伏アーム部材を上下に揺動させたりすることにより、アームホルダー部材により保持したＣＦ遮断器及び腕金等の位置調整を行い、電柱への取付作業を簡単に行うことができる。
【０００７】
なお、起伏アーム部材を、ＣＦ遮断器及び腕金等およびアームホルダー部材の重量とバランスする起伏保持力を与えるバランス装置を有して構成するのが好ましい。このように構成すれば、バランス装置により起伏アーム部材を小さな力で上下揺動（起伏作動）させることができ、作業者が起伏アーム部材を手で上下揺動させてＣＦ遮断器及び腕金等の上下位置調整を簡単に行うことができる。
【０００８】
また、アームホルダー部材を、起伏アーム部材の先端に横方向に延びて固設されたスライドアームと、スライドアー上を横方向にスライド移動可能に取り付けられたスライド部材と、スライド部材に上方に延びて取り付けられた電気絶縁材料製の絶縁支持部材と、絶縁支持部材の上端に取り付けられてＣＦ遮断器及び腕金等を保持するアーム保持部材とから構成するのが好ましい。このように構成すれば、スライド部材をスライドアーム上でスライド移動させることによりアーム保持部材による電柱支持アームの保持位置を簡単に調節できる。特に、スライドアーム上に一対のスライド部材を配設し、各スライド部材上に絶縁支持部材により支持してアーム保持部材を取り付けるように構成することが多いが、このとき、一対のアーム保持部材の間隔をスライド部材をスライド移動させることにより調整し、種々な長さのＣＦ遮断器及び腕金等を常に適切に保持させることができる。また、絶縁支持部材を設けてアーム保持部材と作業台との間の絶縁性を確保することにより、活線作業の安全性を向上させることができる。
【０００９】
【発明の実施の形態】
以下、図面を参照して本発明の好ましい実施例について説明する。図１に本発明に係るアプローチアーム装置１０を有した高所作業車を示している。この高所作業車はトラック用車体をベースに構成され、車体１に図示しない旋回モータにより水平旋回自在となって旋回台２が配設されており、旋回台２に起伏シリンダ４により起伏自在となってメインブーム３が枢結されている。メインブーム３は入れ子式に組み付けられた基端ブーム３ａ、中間ブーム３ｂおよび先端ブーム３ｃから構成され、基端ブーム３ａが旋回台２に枢結されるとともに、図示しない内蔵の伸縮シリンダにより伸縮自在となっている。
【００１０】
先端ブーム３ｃの先端には上下に揺動自在に垂直ポスト５が取り付けられており、垂直ポスト５に水平旋回自在（首振り自在）に首振りアーム６が取り付けられ、首振りアーム６に水平旋回自在（首振り自在）に作業台７が取り付けられている。垂直ポスト５は図示しないレベリング装置により常時垂直に保持され、作業台７は常時水平に保持される。作業台７にはここに搭乗した作業者により操作される操作レバー８が設けられている。作業者は操作レバー８を操作して各種アクチュエータ（例えば、旋回モータ、起伏シリンダ４，伸縮シリンダ等）の作動を制御して、メインブーム３の旋回、起伏および伸縮作動を行わせることができるようになっている。車体１の前後左右には作業時に車体１を持ち上げ支持するアウトリガ９が設けられている。
【００１１】
このような高所作業車において、垂直ポスト５の上に本発明に係るアプローチアーム装置１０が設けられている。このアプローチアーム装置１０の構成を図２に詳しく示しており、以下においては、図２を併用してアプローチアーム装置１０について説明する。
【００１２】
アプローチアーム装置１０は、垂直ポスト５の上面に水平旋回自在に取り付けられたサブブーム装置ＳＢに取り付けられるように構成されている。サブブーム装置ＳＢは、垂直ポスト５の上面に水平旋回自在に取り付けられた基部部材１１と、基部部材１１に長手方向（図２に示す矢印Ａ方向）に移動自在に支持されたサブブーム１２と、基部部材１１に取り付けられたウインチ装置１３と、サブブーム１２の先端に回転自在に取り付けられたシーブ１４とから構成される。この構成から分かるように、ウインチ装置１３に巻き取られたワイヤ１５をシーブ１４から繰り出して、ワイヤ１５の先端に取り付けたフック（図示せず）により荷物の吊り上げを行うことができるようになっている。
【００１３】
アプローチアーム装置１０は、サブブーム１２に長手方向（図２に示す矢印Ａ方向）に移動自在に取り付けられた固定支持部材２１を有する。この固定支持部材２１はサブブーム１２上をスライド移動させて固定ねじ２１ａにより任意の位置でサブブーム１２に固定させることができる。このようにしてサブブーム１２に固定された状態で下方に延びる固定支持部材２１の下端には矢印Ｂで示すように水平旋回自在に旋回アーム部材２２が取り付けられている。
【００１４】
旋回アーム部材２２の先端には矢印Ｃで示すように水平旋回自在に起伏アーム部材２３が取り付けられている。起伏アーム部材２３は、一対の縦メンバー２３ａ，２３ｄおよび一対の横メンバー２３ｂ，２３ｃを図示のように枢結してなる平行リンク機構から構成されており、対角線に位置する枢結点を結んで配設されたガススプリング装置２３ｅによりバランス力を付与するバランス装置が構成されている。縦メンバー２３ａが旋回アーム部材２２の先端に矢印Ｃで示すように水平旋回自在に取り付けられており、起伏アーム部材２３全体が矢印Ｃで示すように水平旋回自在となっている。そして、もう一つの縦メンバー２３ｄは縦メンバー２３ａに対して矢印Ｄで示すように上下に平行移動する。
【００１５】
このように上下に平行移動する縦メンバー２３ｄの上端にアームホルダー部材３０が取り付けられている。アームホルダー部材３０は、縦メンバー２３ｄの上端に取り付けられた横方向に延びる棒状のスライドアーム３１と、スライドアーム３１の上を矢印Ｅで示すように横方向にスライド移動可能に配設された一対のスライド部材３２と、両スライド部材３２の上にそれぞれ立設された絶縁材料製の絶縁支持部材３３と、両絶縁支持部材３３の上にそれぞれ取り付けられたＵ字状のアーム保持部材３４とから構成される。これらアーム保持部材３４のＵ字状空間内に入り込ませるようにしてＣＦアーム５０が保持され、この状態でアーム保持部材３４の保持ねじ３４ａによりＣＦアーム５０をしっかりと固定保持する。なお、このとき、スライド部材３２の位置を調整して両アーム保持部材３４の間隔をＣＦアーム５０等の長さに応じて調整し、常に安定して支持させることができる。
【００１６】
ＣＦアーム５０は、図１に示すように、電柱ＥＰの上部に取り付けられた腕木６０の下側において電柱ＥＰに取り付けられるもので、腕木６０に碍子６１を介して架けられた電線ＥＷと電柱ＥＰに取り付けられる図示しないトランス（変圧器）とを連結する配線を支持するために用いられる。このため、ＣＦアーム５０には、碍子５１により連絡接続用ケーブル５２が取り付けられている。このようにＣＦアーム５０は腕木６０の下側に配設されるものであるため、クレーン等による吊り上げでは腕木６０に架けられた電線ＥＷが邪魔になって作業が非常に難しい。しかしながら、上記アプローチアーム装置１０を用いれば、上述のようにしてアーム保持部材３４によりＣＦアーム５０を保持した状態で、メインブーム３の旋回、起伏および伸縮作動を行わせてアプローチアーム装置１０（および作業台７）を所望高所に移動させることで、図示のようにＣＦアーム５０を電柱ＥＰの上部における取付位置まで簡単に搬送可能である。
【００１７】
このようにしてメインブーム３の作動制御によりアプローチアーム装置１０により支持したＣＦアーム５０を電柱ＥＰの取付位置の近傍まで搬送した後は、アプローチアーム装置１０の旋回アーム部材２２の旋回や、起伏アーム部材２３の起伏を作業台７に搭乗した作業者が手動で行わせてＣＦアーム５０を所定の取付位置に正確に位置させることができ、取付作業が非常に簡単である。なお、起伏アーム部材２３にはガススプリング装置２３ｅを有してバランス機構が設けられているため、その起伏作動は作業者が手で軽く行うことができる。
【００１８】
以上においては、アプローチアーム装置１０によりＣＦアーム５０を支持してこれを電柱ＥＰに取り付けたり、取り外したりする作業について説明したが、本発明のアプローチアーム装置による支持対象はこれに限らず、腕木６０等、電柱取付アーム全ての保持に本発明に係るアプローチアーム装置を用いることができる。
【００１９】
【発明の効果】
以上説明したように、本発明によれば、アームホルダー部材によりＣＦ遮断器及び腕金等を支持した状態で、メインブームの起伏作動等を行わせてメインブームの先端に取り付けられたアプローチアーム装置を所望高所（このＣＦ遮断器及び腕金等を取り付けようとする電柱上部の近傍）に移動させた後、作業台に搭乗した作業者がアームホルダー部材により保持したＣＦ遮断器及び腕金等を電柱の上部に簡単に取り付けることができる。特に、このような作業に際して、メインブームの作動により作業台の位置調整を行うとともに、旋回アーム部材を水平旋回させたり、起伏アーム部材を上下に揺動させたりすることにより、アームホルダー部材により保持したＣＦ遮断器及び腕金等の細かな位置調整を行うことができるので、電柱への取付作業が非常に簡単である。
【００２０】
起伏アーム部材を、ＣＦ遮断器及び腕金等およびアームホルダー部材の重量とバランスする起伏保持力を与えるバランス装置を有して構成するのが好ましく、これによりバランス装置により起伏アーム部材を小さな力で上下揺動（起伏作動）させることができ、作業者が起伏アーム部材を手で上下揺動させてＣＦ遮断器及び腕金等の上下位置調整を簡単に行うことができる。
【００２１】
アームホルダー部材を、起伏アーム部材の先端に横方向に延びて固設されたスライドアームと、スライドアーム上を横方向にスライド移動可能に取り付けられたスライド部材と、スライド部材に上方に延びて取り付けられた電気絶縁材料製の絶縁支持部材と、絶縁支持部材の上端に取り付けられてＣＦ遮断器及び腕金等を保持するアーム保持部材とから構成するのが好ましく、これにより、スライド部材をスライドアーム上でスライド移動させることによりアーム保持部材による電柱支持アームの保持位置を簡単に調節できる。特に、スライドアーム上に一対のスライド部材を配設し、各スライド部材上に絶縁支持部材により支持してアーム保持部材を取り付けるように構成することが多いが、このとき、一対のアーム保持部材の間隔をスライド部材をスライド移動させることにより調整し、種々な長さのＣＦ遮断器及び腕金等を常に適切に保持させることができる。また、絶縁支持部材を設けてアーム保持部材と作業台との間の絶縁性を確保することにより、活線作業の安全性を向上させることができる。
【図面の簡単な説明】
【図１】本発明に係るアプローチアーム装置を有した高所作業車の正面図である。
【図２】上記アプローチアーム装置を拡大して示す斜視図である。
【符号の説明】
３  メインブーム
７  作業台
１０  アプローチアーム装置
１２  サブブーム
２１  固定支持部材
２２  旋回アーム部材
２３  起伏アーム部材
３０  アームホルダー部材
３１  スライドアーム
３２  スライド部材
３３  絶縁支持部材
３４  アーム保持部材
５０  ＣＦアーム（ＣＦ遮断器及び腕金等）
６０  腕木（ＣＦ遮断器及び腕金等）
【図１】
0004754048.tif 000002
【図２】
0004754048.tif 000003